(57)【要約】      （修正有）【課題】コンクリート打設空間内に架設されているアングル材にコンクリート型枠を位置決めするセパレーターを溶接により取り付ける従来方法を改善し、セパレーターの取付けコストを低減する。【解決手段】アングル材７の垂直板部８の外側に当接する垂直部材２と、アングル材の水平板部１０の上側に当接する水平部材３とが、アングル材の角部外側で当該アングル材の長さ方向と平行な支軸４の周りで開閉自在に連結され、前記垂直部材の下端には、アングル材の垂直板部の下側辺が嵌入する係合凹部９が設けられ、前記水平部材の外端には、この水平部材をアングル材の水平板部上に向かって打ち叩くことにより当該水平板部の外側辺１０ａに係合する係合爪部１１が設けられ、前記水平部材には、当該水平部材の長さ方向と平行な向きでセパレーター２１を連結するセパレーター連結部５が設けられている。【選択図】図１
2010203085.tif 000002
【特許請求の範囲】
【請求項１】
アングル材の垂直板部の外側に当接する垂直部材と、アングル材の水平板部の上側に当接する水平部材とが、アングル材の角部外側で当該アングル材の長さ方向と平行な支軸の周りで開閉自在に連結され、前記垂直部材の下端には、アングル材の垂直板部の下側辺が嵌入する係合凹部が設けられ、前記水平部材の外端には、この水平部材をアングル材の水平板部上に向かって打ち叩くことにより当該水平板部の外側辺に係合する係合爪部が設けられ、前記水平部材には、当該水平部材の長さ方向と平行な向きでセパレーターを連結するセパレーター連結部が設けられている、アングル材へのセパレーター取付け金具。
【請求項２】
前記垂直部材は、アングル材側が開放する横断面溝形であって、その両側板部に前記係合凹部が形成され、前記水平部材は、平面視Ｕ字形であって、その両側板部の遊端部間に前記垂直部材が内嵌軸支されると共に、当該両側板部と外端折り返し板部とで形成された横断面コ形の下向き突出外端部の両側板部に前記係合爪部が形成され、前記セパレーター連結部は、水平部材の前記外端折り返し板部に設けられて、連結されるセパレーターが当該水平部材の前記両側板部間に入り込むように構成されている、請求項１に記載のアングル材へのセパレーター取付け金具。
【請求項３】
前記セパレーター連結部は、水平部材の外端折り返し板部の内側に隣接して両側板部間に自転不能に嵌合されたナットのネジ孔により構成され、前記ナットは、前記水平部材の外端折り返し板部及び両側板部に形成されたナット固定突出部により保持されている、請求項２に記載のアングル材へのセパレーター取付け金具。
【請求項４】
前記セパレーター連結部には、セパレーター回り止め手段が併設され、このセパレーター回り止め手段は、前記水平部材の両側板部の一方の外側面に係止固定された取付け板部から前記ナットのネジ孔の外側に延出する打ち叩き操作片を備え、この打ち叩き操作片には、セパレーターが貫通する開口部と、この開口部の周りから延出して前記水平部材の外端折り返し板部に隣接する係合片が設けられ、打ち叩き操作片を前記水平部材の外端折り返し板部の方へ打ち叩くことにより、前記係合片が前記水平部材の外端折り返し板部によってセパレーターに接近する方向に変形して当該セパレーターの螺軸部に食い込むように構成されている、請求項３に記載のアングル材へのセパレーター取付け金具。
【発明の詳細な説明】
【技術分野】
【０００１】
本発明は、水平に架設されたアングル材にコンクリート型枠を位置決めするセパレーターを取り付けるための取付け金具に関するものである。
【背景技術】
【０００２】
例えば土留め壁の構築に使用されている水平に架設されたアングル材にコンクリート型枠を位置決めするセパレーターを取り付ける場合、従来は、当該アングル材の水平板部の上にセパレーターの一端螺軸部を直接溶接するか又は、ナットを溶接しておき、このナットにセパレーターの一端螺軸部を螺合して取り付けるのが一般的であった。
【発明の概要】
【発明が解決しようとする課題】
【０００３】
上記のセパレーター直接溶接方法とナット溶接方法の何れも、現場に溶接機を持ち込んで溶接技術者によりセパレーターの取付け作業を行なう関係から、セパレーターの取付けコストが非常に高くなるばかりでなく、時間もかかり、作業性も悪いという問題点があった。
【課題を解決するための手段】
【０００４】
本発明は、上記のような問題点を解消できるアングル材へのセパレーター取付け金具を提案するものであって、請求項１に記載の本発明では、後述する実施形態の参照符号を付して示すと、アングル材７の垂直板部８の外側に当接する垂直部材２と、アングル材７の水平板部３の上側に当接する水平部材３とが、アングル材７の角部外側で当該アングル材７の長さ方向と平行な支軸４の周りで開閉自在に連結され、前記垂直部材２の下端には、アングル材７の垂直板部８の下側辺が嵌入する係合凹部９が設けられ、前記水平部材３の外端には、この水平部材３をアングル材７の水平板部１０上に向かって打ち叩くことにより当該水平板部１０の外側辺１０ａに係合する係合爪部１１が設けられ、前記水平部材３には、当該水平部材３の長さ方向と平行な向きでセパレーター２１を連結するセパレーター連結部５が設けられた構成となっている。
【０００５】
上記本発明を実施する場合、具体的には請求項２に記載のように、前記垂直部材８は、アングル材７側が開放する横断面溝形に構成して、その両側板部２ａ，２ｂに前記係合凹部９を形成し、前記水平部材３は、平面視Ｕ字形に構成して、その両側板部３ａ，３ｂの遊端部間に前記垂直部材２を内嵌軸支すると共に、当該両側板部３ａ，３ｂと外端折り返し板部３ｃとで形成された横断面コ形の下向き突出外端部３ｄの両側板部３ａ，３ｂに前記係合爪部１１を形成し、前記セパレーター連結部５は、水平部材３の前記外端折り返し板部３ｃに設けて、連結されるセパレーター２１が当該水平部材３の前記両側板部３ａ，３ｂ間に入り込むように構成することができる。
【０００６】
又、請求項３に記載のように、前記セパレーター連結部５は、水平部材３の外端折り返し板部３ｃの内側に隣接して両側板部３ａ，３ｂ間に自転不能に嵌合されたナット１２のネジ孔１２ａにより構成し、前記ナット１２は、前記水平部材３の外端折り返し板部３ｃ及び両側板部３ａ，３ｂに形成されたナット固定突出部１４ａ〜１５ｂにより保持することができる。
【０００７】
更に、請求項４に記載のように、前記セパレーター連結部５には、セパレーター回り止め手段６を併設することができる。このセパレーター回り止め手段６は、前記水平部材３の両側板部３ａ，３ｂの一方の外側面に係止固定された取付け板部１６から前記ナット１２のネジ孔１２ａの外側に延出する打ち叩き操作片１７を備えた構造とし、この打ち叩き操作片１７には、セパレーター２１が貫通する開口部１８と、この開口部１８の周りから延出して前記水平部材３の外端折り返し板部３ｃに隣接する係合片１９ａ，１９ｂを設け、打ち叩き操作片１７を前記水平部材３の外端折り返し板部３ｃの方へ打ち叩くことにより、前記係合片１９ａ，１９ｂが前記水平部材３の外端折り返し板部３ｃによってセパレーター２１に接近する方向に変形して当該セパレーター２１の螺軸部２１ａに食い込むように構成することができる。
【発明の効果】
【０００８】
請求項１に記載の本発明の構成によれば、垂直部材の下端の係合凹部をアングル材の垂直板部の下側辺に下から上向きに嵌合させて当該垂直部材をアングル材の垂直板部の外側に当接させ、次に水平部材をアングル材の水平板部の上に重ねるように倒伏させた状態で、当該水平部材をアングル材の水平板部上に向かってハンマーなどで打ち叩くことにより、当該水平部材の外端の係合爪部がアングル材の水平板部の外側辺に係合させる。このようにハンマーなどで打ち叩く操作を行なうだけで、垂直部材と水平部材とでアングル材を抱き抱えるように挟持させ、水平部材のセパレーター連結部をアングル材の水平板部の上に固定することができるので、後は、当該セパレーター連結部にセパレーターを連結させるだけで良い。即ち、本発明の金具を使用することにより、溶接を一切利用せずにセパレーター連結部をアングル材の水平板部の上に固定することができるので、アングル材に対するセパレーターの取付けコストの大幅な低減を図ることができ、しかも極短時間で簡単にセパレーターを取り付けることができる。
【０００９】
尚、請求項２に記載の構成によれば、本発明金具の垂直部材と水平部材を板材の折曲加工で構成することができ、本発明金具を軽量安価に構成することができる。しかも、連結されたセパレーターの端部は、本発明金具の水平部材の内側に配置されるので、セパレーターをアングル材の水平板部の上に接近させて配置することができると共に、当該セパレーターの端部を本発明金具の水平部材で保護することができる。
【００１０】
更に、請求項３に記載の構成によれば、本発明金具を板材の折曲加工で構成しながら、取り付けられたナットによって必要な長さの貫通ネジ孔から成るセパレーター連結部を構成することができ、しかも溶接を利用することなくナットを取り付けルことができるので、本発明金具自体も安価に実施することができる。
【００１１】
又、請求項４に記載の構成によれば、セパレーター連結部のネジ孔に螺合連結したセパレーターを簡単な操作で回り止めすることができ、取り付けたセパレーターの軸方向の位置が不測に変動することも無く、当該セパレーターで支持されるコンクリート型枠の位置精度を高めることができると共に、本発明金具に取り付けられた後のセパレーターの遊転を止めることができるので、このセパレーターの他端螺軸部に対するコンクリート型枠連結金具などのねじ結合作業も容易に行なえる。
【図面の簡単な説明】
【００１２】
【図１】図１は本発明金具の使用状態を示す縦断側面図である。
【図２】図２は本発明金具の平面図である。
【図３】図３Ａは本発明金具をアングル材に取り付けるときの様子を示す側面図、図３Ｂは本発明金具の正面図である。
【図４】図４は本発明金具の横断平面図である。
【発明を実施するための形態】
【００１３】
以下、本発明の一実施形態を図に基づいて説明すると、本発明の取付け金具１は、垂直部材２と水平部材３、両部材２，３を連結する支軸４、セパレーター連結部５、及びセパレーター回り止め手段６から構成されている。
【００１４】
垂直部材２は、アングル材７の垂直板部８の外側に面する側が開放する横断面溝形であって、その両側板部２ａ，２ｂの下端には、アングル材７の垂直板部８の下側辺８ａに下から上向きに嵌合する嵌合凹部９が形成されている。水平部材３は、帯状板を平面視Ｕ字形に曲げ加工したものであって、その両側板部３ａ，３ｂの遊端部が垂直部材２の上端部を左右両側から挟む状態で、当該垂直部材２の上端部と水平部材３の遊端部とが、アングル材７の長さ方向と平行な支軸４により開閉自在に軸支連結されている。
【００１５】
上記水平部材３の外端部下側には、当該水平部材３の両側板部３ａ，３ｂと外端折り返し板部３ｃとで形成された横断面コ形の下向き突出外端部３ｄが設けられ、この突出外端部３ｄにおける両側板部３ａ，３ｂに、アングル材７の水平板部１０の外側辺１０ａに係合する係合爪部１１が形成されている。
【００１６】
セパレーター連結部５は、水平部材３の外端折り返し板部３ｃの内側に隣接して両側板部３ａ，３ｂ間に自転不能に嵌合されたナット１２のネジ孔１２ａにより構成されている。勿論、水平部材３の外端折り返し板部３ｃには、前記ナット１２のネジ孔１２ａより少し大径の貫通孔１３が同心状に設けられている。前記ナット１２は、水平部材３の両側板部３ａ，３ｂで挟まれて回転は止められているが、その位置を固定するために、水平部材３の外端折り返し板部３ｃから内側に突出してナット１２の上下両端を挟む上下一対のナット固定突出部１４ａ，１４ｂと、両側板部３ａ，３ｂから内側に突出してナット１２を外端折り返し板部３ｃとの間で挟む左右一対のナット固定突出部１５ａ，１５ｂが形成されている。
【００１７】
セパレーター回り止め手段６は、水平部材３の一方の側板部３ａの外側面に係止固定された取付け板部１６からナット１２のネジ孔１２ａの外側に延出する打ち叩き操作片１７を備えた構造のもので、この打ち叩き操作片１７には、セパレーターが貫通する開口部１８と、この開口部１８の両側、即ち、当該開口部１８の中心側から見て打ち叩き操作片１７の長さ方向の両側から当該開口部１８の中心側で且つ水平部材３の外端折り返し板部３ｃに向かって延出して、先端がそれぞれ当該外端折り返し板部３ｃに隣接する一対の係合片１９ａ，１９ｂが設けられている。尚、取付け板部１６には、その遊端部と左右両側辺とから水平部材３の側板部３ａの方へそれぞれ舌片１６ａが連設され、これら舌片１６ａが嵌入する孔２０が水平部材３の側板部３ａに設けられ、これら各孔２０に嵌入した舌片１６ａを側板部３ａの内側で折曲させることにより、当該取付け板部１６が水平部材３の側板部３ａに固定されている。又、打ち叩き操作片１７の左右両側辺には、低い側板部１７ａ，１７ｂが外向きに折曲連設されて強度アップが図られており、この打ち叩き操作片１７を水平部材３の外端折り返し板部３ｃの方へ打ち叩いたときに開口部１８の両側で折れ曲がるのを防止している。
【００１８】
以下、使用方法を説明すると、図３Ａに示すように、垂直部材２と水平部材３とを支軸４の回りに開動して展開した状態において、垂直部材２の下端の嵌合凹部９を、アングル材７の垂直板部８の下側辺８ａに下から上向きに嵌合させて、当該垂直部材２をアングル材７の垂直板部８の外側面に当接させる。次に水平部材３を支軸４の周りに閉動させて、アングル材７の水平板部１０の上に倒伏させ、この状態で当該水平部材３の先端部をアングル材７の水平板部１０に向かってハンマーなどで打ち叩くことにより、当該水平部材３の先端下側の係合爪部１１をアングル材７の水平板部１０の外側辺１０ａに噛み込ませて係合させる。換言すれば、アングル材７は規格品であるから、水平板部１０の幅と外側辺１０ａの従動ローラー断面形状に合わせて係合爪部１１を形成しておくことにより、上記のように係合爪部１１をアングル材７の水平板部１０の外側辺１０ａに噛み込ませて係合させることができるのである。勿論このとき、水平部材３はアングル材７の水平板部１０の表面上に当接している。
【００１９】
次にセパレーター２１の一端の螺軸部２１ａを、セパレーター回り止め手段６の打ち叩き操作片１７の開口部１８からセパレーター連結部５のネジ孔１２ａ（ナット１２）に螺入させる。このとき、ネジ孔１２ａから内側に突出するセパレーター２１の螺軸部２１ａは、水平部材３の両側板部３ａ，３ｂ間に進入するので、このネジ孔１２ａ（ナット１２）と支軸４との間の空間の範囲内で、ネジ孔１２ａに対するセパレーター２１の螺入深さ、即ち、取付け金具１に対するセパレーター２１の軸方向の取付け位置を調整することができる。セパレーター２１の位置が確定したならば、水平部材３の外端折り返し板部３ｃから最も離れている打ち叩き操作片１７の遊端部をハンマーなどで外端折り返し板部３ｃの方へ打ち叩き、この打ち叩き操作片１７の全体を水平部材３の外端折り返し板部３ｃの方へ傾倒させる。この結果、セパレーター２１の螺軸部２１ａの両側において水平部材３の外端折り返し板部３ｃに隣接している一対の係合片１９ａ，１９ｂの先端が、当該外端折り返し板部３ｃの表面上を滑動してセパレーター２１の螺軸部２１ａの方へ移動するように変形し、この一対の係合片１９ａ，１９ｂの先端がセパレーター２１の螺軸部２１ａの溝内に食い込み、当該セパレーター２１を回り止めする。換言すれば、このように一対の係合片１９ａ，１９ｂが作用するように、打ち叩き操作片１７が構成されている。尚、一対の係合片１９ａ，１９ｂの先端には、図３Ｂに示すように、セパレーター２１の螺軸部２１ａの溝内に食い込む周方向複数の爪部が形成されている。
【００２０】
上記のように取付け金具１を介してアングル材７の水平板部１０上に、当該アングル材７の長さ方向に対して直角向きで且つアングル材７の垂直板部８から離れる方向に延出するように取り付けられたセパレーター２１は、その他端螺軸部にコンクリート型枠が従来周知の方法で取り付けられる。而して、当該コンクリート型枠の内側の、アングル材７及び取付け金具１を含むコンクリート打設空間にコンクリートを打設したときにセパレーター２１に作用する引張力は、取付け金具１の水平部材３から支軸４及び垂直部材２を介してアングル材７の垂直板部８で受け止められ、水平部材３がアングル材７の水平板部１０から浮き上がることは、アングル材７の垂直板部８の下側辺８ａに嵌合凹部９が嵌合している垂直部材２に水平部材３の後端部が支軸４により連結されていることと、この水平部材３の前端部が係合爪部１１を介してアングル材７の水平板部１０の外側辺１０ａに係合していることにより、確実に防止され、セパレーター２１がアングル材７から外れたり、移動することはない。
【産業上の利用可能性】
【００２１】
鉄筋コンクリート製の建造物の建設現場において、コンクリート打設空間内に埋め込まれるアングル材にコンクリート型枠を位置決めするセパレーターを取り付けるための取付け金具として活用できる。
【符号の説明】
【００２２】
１    取付け金具
２    垂直部材
２ａ，２ｂ    両側板部
３    水平部材
３ａ，３ｂ    両側板部
３ｃ    外端折り返し板部
３ｄ    突出外端部
４    支軸
５    セパレーター連結部
６    セパレーター回り止め手段
７    アングル材
８    垂直板部
８ａ    垂直板部の下側辺
９    嵌合凹部
１０    水平板部
１０ａ    水平板部の外側辺
１１    係合爪部
１２    ナット
１２ａ    ネジ孔
１３    貫通孔
１４ａ，１４ｂ    上下一対のナット固定突出部
１５ａ，１５ｂ    左右一対のナット固定突出部
１６    取付け板部
１６ａ    舌片
１７    打ち叩き操作片
１７ａ，１７ｂ    側板部
１８    開口部
１９ａ，１９ｂ    一対の係合片
２０    孔
２１    セパレーター
２１ａ    セパレーターの螺軸部
【図１】
2010203085.tif 000003
【図２】
2010203085.tif 000004
【図３】
2010203085.tif 000005
【図４】
2010203085.tif 000006